(57)【要約】本発明は、情報交換の方法およびデバイスに関しており、この方法は、情報源集合から少なくとも二つの情報源を選択することと、情報源を同一のグラフィックインタフェースに表示することと、ユーザにより発せられたグラフィックインタフェースの操作指示を識別することであって、操作指示が、情報源の二つの交換対象に指示して情報交換を実行するように構成されており、二つの交換対象が開始情報源と目標情報源とを包含することと、開始情報源の情報を目標情報源へ送信すること、および／または、目標情報源の情報を開始情報源へ送信することとを含む。本発明の実施形態は、少なくとも二つの情報源を同一のグラフィックインタフェースに表示して、ユーザにより発せられたグラフィックインタフェースの情報源の操作指示に従って情報交換を実行し、すなわちユーザは可視化グラフィックインタフェースにより情報源を制御するため、情報源の間で情報が共有されうる。情報源の反復的なチェックまたはクリックを必要とする関連の先行技術と比較して、本発明は容易に操作されて反復的操作の減少が可能であることにより情報源の誤選択や看過を回避する。【選択図】図１
2018524687.tif 000002
【特許請求の範囲】
【請求項１】
情報源集合から少なくとも二つの情報源を選択することと、
前記情報源を同一のグラフィックインタフェースに表示することと、
ユーザにより発せられた前記グラフィックインタフェースの操作指示を識別することであって、前記操作指示が、前記情報源の二つの交換対象に指示して情報交換を実行するように構成され、前記二つの交換対象が開始情報源と目標情報源とを包含することと、
前記開始情報源の情報を前記目標情報源へ送信すること、および／または、前記目標情報源の情報を前記開始情報源へ送信することと、
を包含する情報交換方法。
【請求項２】
前記情報源集合からの少なくとも二つの情報源の選択が、
前記情報源集合の当該情報源に対応する端末の位置情報に従っていずれか二つの情報源に対応する二つの端末の間の第１距離を計算して、第１予設定距離より短いか等しい前記第１距離を持つ情報源を選択することと、
前記情報源集合の当該情報源に対応する端末の位置情報に従って前記情報源集合のいずれかの情報源に対応する端末とユーザの端末との間の第２距離を計算して、第２予設定距離より短いか等しい前記第２距離を持つ情報源を選択することと、
前記情報源集合の当該情報源の確立時間情報に従って予設定時間範囲内に確立される少なくとも二つの情報源を選択することと、
前記情報源集合において前記ユーザの前記端末との当該情報源の通信頻度に従って、予設定通信頻度より高いか等しい前記ユーザの端末との当該通信頻度を持つ少なくとも二つの情報源を選択することと、
前記情報源集合の同一グループに属する少なくとも二つの情報源を選択することと、
を包含する、請求項１に記載の方法。
【請求項３】
前記少なくとも二つの情報源が、前記ユーザによりランダムに選択される情報源である、
請求項１に記載の方法。
【請求項４】
同一のグラフィックインタフェースでの前記情報源の表示が、
前記情報源の識別情報を同一のグラフィックインタフェースに表示すること、
を包含する、請求項２または請求項３に記載の方法。
【請求項５】
前記開始情報源が前記ユーザの単一操作の始点であって、前記目標情報源が前記ユーザの前記単一操作の終点であるか、
前記開始情報源が前記ユーザにより操作される多数の情報源のいずれか一つであって、前記目標情報源が、前記ユーザにより操作される前記多数の情報源のうち前記開始情報源以外の情報源であるか、
前記開始情報源が前記ユーザにより操作される多数の情報源により形成される閉鎖接続線の中のいずれかの情報源であって、前記目標情報源が前記閉鎖接続線の中の前記開始情報源以外の情報源であるか、
前記開始情報源が、前記ユーザの操作により設定されるグラフィックインタフェースのサブエリアの情報源のうちいずれか一つであって、前記目標情報源が、前記グラフィックインタフェースのサブエリア内の前記開始情報源以外の情報源である、
請求項４に記載の方法。
【請求項６】
情報源集合から少なくとも二つの情報源を選択するように構成されている選択モジュールと、
前記情報源を同一のグラフィックインタフェースに表示するように構成されているグラフィックインタフェース表示モジュールと、
ユーザにより発せられた前記グラフィックインタフェースの操作指示を識別するように構成されている識別モジュールであって、前記操作指示が、前記情報源の二つの交換対象に指示して情報交換を実行するように構成され、前記二つの交換対象が開始情報源と目標情報源とを包含する、識別モジュールと、
前記開始情報源の情報を前記目標情報源へ送信する、および／または、前記目標情報源の情報を前記開始情報源へ送信するように構成されている送信モジュールと、
を包含する情報交換デバイス。
【請求項７】
前記選択モジュールが具体的には、前記情報源集合の当該情報源に対応する端末の位置情報に従っていずれか二つの情報源に対応する二つの端末の間の第１距離を計算して、第１予設定距離より短いか等しい前記第１距離を持つ情報源を選択するか、
前記情報源集合の当該情報源に対応する端末の位置情報に従って前記情報源集合のいずれかの情報源に対応する端末と前記ユーザの端末との間の第２距離を計算して、第２予設定距離より短いか等しい前記第２距離を持つ情報源を選択するか、
前記情報源集合の当該情報源の確立時間情報に従って予設定時間範囲内で確立される少なくとも二つの情報源を選択するか、
前記情報源集合で前記ユーザの前記端末との当該情報源の通信頻度に従って予設定通信頻度より高いか等しい前記ユーザの端末との当該通信頻度を持つ少なくとも二つの情報源を選択するか、
前記情報源集合で同一のグループに属する少なくとも二つの情報源を選択する、
ように構成されている、請求項６に記載の情報交換デバイス。
【請求項８】
前記少なくとも二つの情報源が前記ユーザによりランダムに選択される情報源である、
請求項７に記載の情報交換デバイス。
【請求項９】
前記グラフィックインタフェース表示モジュールが、具体的には、前記情報源の識別情報を同一のグラフィックインタフェースに表示するように構成されている、
請求項７または請求項８に記載の情報交換デバイス。
【請求項１０】
前記開始情報源が前記ユーザの単一操作の始点であって、前記目標情報源が前記ユーザの前記単一操作の終点であるか、
前記開始情報源が、前記ユーザにより操作される多数の情報源のうちいずれか一つであって、前記目標情報源が、前記ユーザにより操作される前記多数の情報源のうち前記開始情報源以外の情報源であるか、
前記開始情報源が、前記ユーザにより操作される多数の情報源により形成される閉鎖接続線の中のいずれかの情報源であって、前記目標情報源が、前記閉鎖接続線の中の前記開始情報源以外の情報源であるか、
前記開始情報源が、前記ユーザの操作により設定されるグラフィックインタフェースのサブエリアでのいずれか一つの情報源であって、前記目標情報源が、前記グラフィックインタフェースのサブエリアでの前記開始情報源以外の情報源である、
請求項９に記載の情報交換デバイス。
【発明の詳細な説明】
【技術分野】
【０００１】
本発明の実施形態は、情報技術の分野、詳しくは情報交換の方法およびデバイスに関する。
【背景技術】
【０００２】
情報技術の発展にともなって、最も一般的な可視化電子機器である携帯電話やコンピュータなどの可視化電子機器が、日常生活で不可欠なツールとなっている。このような電子機器は、携帯電話連絡先の中の連絡先の情報（例えば、連絡先情報）を別の連絡先と共有することや、友人の関連情報、例えば彼／彼女のユーザ名、携帯電話／コンピュータにインストールされたソーシャルアプリ／ソフトウェアの登録番号を他の友人と共有することなどの情報交換機能を有している。
【０００３】
情報交換の具体的なプロセスは、ユーザにより、連絡先や友人など共有される情報源を判断すること、共有ボタンをクリックすること、携帯電話連絡先の中の他の連絡先やソーシャルアプリ／ソフトウェアでの他の友人などの目標情報源をチェックまたはクリックすること、目標情報源を選択した後に送信ボタンをクリックすることであり、こうして共有される情報源が目標情報源と共有される。
【０００４】
先行技術において、携帯電話連絡先の中の連絡先やソーシャルソフトウェアでの友人の数が比較的多い時には、目標情報源を反復的にチェックまたはクリックする際の作業負荷は重く、これは目標情報源の誤選択および／または看過という結果を招きがちである。
【発明の概要】
【発明が解決しようとする課題】
【０００５】
本発明の実施形態は、容易に操作されて反復的操作の減少が可能であることにより情報源の誤選択および看過を回避できる情報交換の方法およびデバイスを提供する。
【課題を解決するための手段】
【０００６】
本発明の実施形態のある態様は、
情報源集合から少なくとも二つの情報源を選択することと、
情報源を同一のグラフィックインタフェースに表示することと、
ユーザにより発せられたグラフィックインタフェースの操作指示を識別することであって、操作指示が、情報源の二つの交換対象に指示して情報交換を実行するように構成され、二つの交換対象が開始情報源と目標情報源とを含むことと、
開始情報源の情報を目標情報源へ送信する、および／または、目標情報源の情報を開始情報源へ送信することと、
を含む情報交換方法を提供する。
【０００７】
本発明の実施形態の別の態様は、
情報源集合から少なくとも二つの情報源を選択するように構成されている選択モジュールと、
情報源を同一のグラフィックインタフェースに表示するように構成されているグラフィックインタフェース表示モジュールと、
ユーザにより発せられたグラフィックインタフェースの操作指示を識別するように構成されている識別モジュールであって、操作指示が、情報源の二つの交換対象に指示して情報交換を実行するように構成されており、二つの交換対象が開始情報源と目標情報源とを含む、識別モジュールと、
開始情報源の情報を目標情報源へ送信する、および／または、目標情報源の情報を開始情報源へ送信するように構成されている送信モジュールと、
を含む情報交換デバイスを提供する。
【発明の効果】
【０００８】
本発明の実施形態により提供される情報交換の方法およびデバイスは、少なくとも二つの情報源を同一のグラフィックインタフェースに表示して、ユーザにより発せられたグラフィックインタフェースの操作指示に従って情報交換を実行し、つまりユーザは、情報が間で共有されうるように可視化グラフィックインタフェースを利用して情報源を操作する。情報源の反復的なチェックまたはクリックを必要とする関連の先行技術と比較すると、本発明は容易に操作されて反復的な操作の減少を可能にすることにより情報源の誤選択または看過を回避できる。
【図面の簡単な説明】
【０００９】
【図１】本発明の一実施形態による情報交換方法のフローチャート
【図２】本発明の別の実施形態により提供されるグラフィックインタフェースの概略図
【図３】本発明の別の実施形態によるグラフィックインタフェースの概略図
【図４】本発明の別の実施形態によるグラフィックインタフェースの概略図
【図５】本発明の別の実施形態によるグラフィックインタフェースの概略図
【図６】本発明の別の実施形態によるグラフィックインタフェースの概略図
【図７】本発明の別の実施形態によるグラフィックインタフェースの概略図
【図８】本発明の実施形態による情報交換デバイスの構造図
【発明を実施するための形態】
【００１０】
図１は、本発明の実施形態により提供される情報交換方法のフローチャートである。情報交換方法を実行するためのデバイスは可視化操作エリアを有する、すなわち、情報交換方法を実行するためのデバイスは可視化デバイスであり、これは、コンピュータ、テレビ、携帯電話、カメラ、ビデオカメラ、ポータブルアンドロイドデバイス（ＰＡＤ）、携帯情報端末（ＰＤＡ），ゲーム機、オーディオ／ビデオ機器、時計、ハンドリング、表示可能カード、メガネ、映写機、プロジェクタ等に限定されない。情報源の誤選択や看過の結果を招きがちである先行技術で必要とされる情報源の反復的チェックまたはクリックについての短所に注目して、本発明の実施形態は、以下の具体的ステップを含む情報交換方法を提供する。
【００１１】
ステップＳ１０１：情報源集合から少なくとも二つの情報源を選択すること。
【００１２】
本発明の実施形態において、情報源集合は、情報を担持するか情報と接続されている担体、例えば、携帯電話連絡先、カードアルバム、ウィーチャット友達、ＱＱ友達、履歴書集合、Ｅメールアドレス集合、アプリ集合、およびゲーム集合を指すのに対して、情報源は、情報源集合での個々の構成要素を指す。情報交換方法を実行する可視化デバイスは、情報源集合を記憶し、情報源集合から少なくとも二つの情報源を選択する。情報源を選択する方法は、予設定ルールまたはユーザの選択にしたがったものである。
【００１３】
ステップＳ１０２：情報源を同一のグラフィックインタフェースに表示すること。
【００１４】
可視化デバイスは、選択された情報源を同一のグラフィックインタフェースに表示するため、ユーザは、予設定ルールまたはユーザの選択に従って可視化デバイスにより選択される情報源を視認しうる。
【００１５】
ステップＳ１０３：ユーザにより発せられたグラフィックインタフェースの操作指示を識別すること。操作指示は、情報源の二つの交換対象に指示して情報交換を実行するように構成されており、二つの交換対象は開始情報源と目標情報源とを含む。
【００１６】
ユーザは、グラフィックインタフェースで情報源を操作し、操作は、タッチ、ドラッグ、コネクト、カバー、キャプチャジェスチャ、シェイキング、音声認識等に限定されない。可視化デバイスは、ユーザの操作により生成された操作指示を識別する。操作指示は、情報源、つまり情報交換が実施される開始情報源と目標情報源とを含む二つの情報交換対象を含み、情報源の二つの交換対象に指示して情報交換を実行する。
【００１７】
ステップＳ１０４：情報交換が実施される情報源において開始情報源の情報を目標情報源へ送信すること、および／または、目標情報源の情報を開始情報源へ送信すること。
【００１８】
情報交換が実施される情報源は、共有情報源つまり開始情報源と、共有情報源を受信する情報源である目標情報源とを含む二つの情報交換対象である。ユーザ端末は、開始情報源の情報を目標情報源へ送信する、および／または、目標情報源の情報を開始情報源へ送信する、つまり、開始情報源と目標情報源との間の情報の交換が可視化デバイスにより実行される。
【００１９】
本発明の実施形態は、少なくとも二つの情報源を同一のグラフィックインタフェースに表示して、ユーザにより発せられたグラフィックインタフェースの情報源の操作指示に従って情報交換を実行し、つまりユーザは、情報源の間で情報が共有されうるように可視化グラフィックインタフェースを利用することにより情報源を制御する。情報源の反復的なチェックやクリックを必要とする関連の先行技術と比較して、本発明は容易に操作されて反復的操作の減少が可能であることにより情報源の誤選択または看過を回避する。
【００２０】
図２は、本発明の別の実施形態により提供されるグラフィックインタフェースの概略図である。上述した実施形態に基づくと、情報源集合からの少なくとも二つの情報源の選択は、情報源集合の当該情報源に対応する端末の位置情報に従っていずれか二つの情報源に対応する二つの端末の間の第１距離を計算して、第１予設定距離より短いか等しい第１距離を持つ第１情報源を選択することか、情報源集合の当該情報源に対応する端末の位置情報に従って、情報源集合のいずれかの情報源に対応する端末とユーザの端末との間の第２距離を計算して、第２予設定距離より短いか等しい第２距離を持つ情報源を選択することか、情報源集合の当該情報源の確立時間情報に従って予設定時間範囲内で確立される少なくとも二つの情報源を選択するか、情報源集合でユーザの端末との当該の情報源の通信頻度に従って予設定通信頻度より高いか等しいユーザの端末との当該通信頻度を持つ少なくとも二つの情報源を選択することか、情報源集合で同一のグループに属する少なくとも二つの情報源を選択することを包含する。
【００２１】
例えば、可視化デバイスは携帯電話であり、情報源集合は、ユーザの連絡先をすべて記憶する携帯電話連絡先である。携帯電話連絡先のうち一部の連絡先の情報交換を実行するには、最初に携帯電話連絡先から連絡先の一部を選択する、つまり情報源集合から情報源を選択することが必要であり、可視化デバイスは予設定ルールに従って情報源集合から情報源を選択しうる。
【００２２】
例えば、第１予設定距離の範囲内の連絡先と情報が共有されうるように、全地球測位システム（ＧＰＳ）に基づいて携帯電話連絡先から第１予設定距離の範囲内のすべての連絡先を選択することか、第２予設定距離内の連絡先と情報が共有されうるように、ローカルユーザから第２予設定距離の範囲内にあるすべての連絡先を携帯電話連絡先から選択することか、予設定時間範囲内に確立される連絡先とローカルユーザが情報を共有しうるように、予設定時間範囲内に確立されたすべての連絡先を携帯電話連絡先から選択することか、予設定通信頻度より高いか等しいローカルユーザの端末との通信頻度を持つすべての連絡先を携帯電話連絡先から選択することであって、通信頻度が具体的には通信の回数であるか通信の頻繁さであることか、連絡先を前もってグループ化し、例えば友人グループ、親類グループ、同僚グループ、その他が設けられて、いずれか一つのグループの連絡先を選択すること。本発明の実施形態は、上述の予設定ルールに限定されず、情報源集合から情報源を選択できるいかなる可能実行例も、本発明の保護範囲内にある。
【００２３】
少なくとも二つの情報源は、ユーザによりランダムに選択される情報源である。また、情報源集合から可視化デバイスにより選択される情報源も、ユーザによりランダムに選択される情報源である。
【００２４】
同一のグラフィックインタフェースでの情報源の表示は、情報源の識別情報を同一のグラフィックインタフェースに表示することを含む。
【００２５】
可視化デバイスは、選択された情報源を識別情報としてグラフィックインタフェースに統合方式で表示する。図２に示されているように、Ａはローカルユーザを表して、Ｂ〜Ｓは可視化デバイスにより情報源集合から選択された情報源を表し、Ａ〜Ｓは、識別情報としてグラフィックインタフェースに統合方式で表示される。例えば、Ａ〜Ｓは、携帯電話番号、顔写真、位置、ＩＤ番号その他を統合方式で表す。
【００２６】
図２に示されているように、可視化デバイスによる情報源集合からの情報源の選択は、予設定ルールに基づいて実行され、情報源は、予設定ルールによればユーザから第２予設定距離内にあり、Ｂ〜Ｓは具体的には携帯電話連絡先でローカルユーザＡから第２予設定距離内にある連絡先を表し、Ｂ，Ｃ，Ｄ，ＥはＡに最も近い連絡先であって、Ｑ，Ｐ，Ｎ，Ｏ，Ｒ，Ｍ，Ｆ，Ｇ，Ｈ，Ｉは比較的近い連絡先であるのに対して、Ｌ，Ｋ，Ｓ，ＪはＡから最も遠い連絡先であると仮定される。
【００２７】
図２に示されているように、可視化デバイスによる情報源集合からの情報源の選択は、ユーザの選択に基づいて実行され、Ｂ〜Ｓは具体的にはローカルユーザＡにより携帯電話連絡先から選択された連絡先を表す。
【００２８】
本発明の実施形態において、可視化デバイスは、予設定ルールを通して情報源集合から情報源を選択し、これは情報源を選択するための簡便性を向上させる。
【００２９】
図３は、本発明の別の実施形態により提供されるグラフィックインタフェースの概略図である。図４は、本発明のまた別の実施形態により提供されるグラフィックインタフェースの概略図である。図５は、本発明のまた別の実施形態により提供されるグラフィックインタフェースの概略図である。図６は、本発明のまた別の実施形態により提供されるグラフィックインタフェースの概略図である。図７は、本発明のまた別の実施形態により提供されるグラフィックインタフェースの概略図である。上述の実施形態に基づくと、開始情報源はユーザの単一操作の始点であって、目標情報源はユーザの単一操作の終点であるか、開始情報源がユーザにより操作される多数の情報源のいずれか一つであって、目標情報源が、ユーザにより操作される多数の情報源のうち開始情報源以外の情報源であるか、開始情報源が、ユーザにより操作される多数の情報源により形成される閉鎖接続線の中のいずれかの情報源であって、目標情報源が、閉鎖接続線の中の開始情報源以外の情報源であるか、開始情報源がユーザの操作により設定されるグラフィックインタフェースのサブエリアでの情報源のいずれか一つであって、目標情報源が、グラフィックインタフェースのサブエリアでの開始情報源以外の情報源である。
【００３０】
図３に示されているように、図２に基づくと、グラフィックインタフェースの情報源がユーザにより操作され、例えばＲとＨの間の接続がユーザにより確立される時にはＲとＨが目標情報源であって、可視化デバイスは、ＲとＨの間の接続に基づいてＲの連絡先情報をＨと共有させるのと同時にＨの連絡先情報をＲと共有させることで、ＲとＨの間の情報共有または情報交換が実行される。可視化デバイスはまた、Ｈの連絡先情報をＲと共有させずにＲとＨの間の接続に基づいてＲの連絡先情報をＷと共有させることで、単方向の共有が実行される。本発明の実施形態において、ユーザにより実施される同一の操作は異なる実施結果を招きうるが、一度に一つの動作は対応する一つの実施結果のみを招き、どの実施結果が実施されるかは、可視化デバイスで異なる解決モードを設定することにより判断されうる。また、二つの情報源の間の接続は、双方向または単方向の共有と判断されるばかりでなく、ここでは限定されない他の共有方式と判断されてもよい。
【００３１】
図４に示されているように、情報源はグラフィックインタフェースを通してユーザにより操作され、例えば、Ａ，Ｂ，Ｉ，Ｈ，Ｒ，Ｅにより閉鎖線が形成される時には、Ａ，Ｂ，Ｉ，Ｈ，Ｒ，Ｅは目標情報源であり、可視化デバイスは、Ａ，Ｂ，Ｉ，Ｈ，Ｒ，Ｅにより形成される閉鎖線に基づいてＡ，Ｂ，Ｉ，Ｈ，Ｒ，Ｅの情報源のうちいずれか一つを他の情報源と共有するため、Ａ，Ｂ，Ｉ，Ｈ，Ｒ，Ｅのうちいずれか二つの情報源の間での情報共有または情報交換が実行される。
【００３２】
図５に示されているように、情報源はグラフィックインタフェースを通してユーザにより操作され、例えば、Ａ，Ｂ，Ｉ，Ｈ，Ｒ，Ｅにより非閉鎖線が形成される時には、Ａ，Ｂ，Ｉ，Ｈ，Ｒ，Ｅが目標情報源であり、可視化デバイスは、Ａ，Ｂ，Ｉ，Ｈ，Ｒ，Ｅにより形成される非閉鎖線に基づいて、Ａの情報源をＢと共有し、Ｂの情報源をＩと共有し、Ｉの情報源をＨと共有し、Ｈの情報源をＲと共有し、Ｒの情報源をＥと共有し、こうしてＡ，Ｂ，Ｉ，Ｈ，Ｒ，Ｅの間での情報共有がＡ，Ｂ，Ｉ，Ｈ，Ｒ，Ｅの順序で単方向方式により実行され、同様にＥ，Ｒ，Ｈ，Ｉ，Ｂ，Ａの間の情報共有がＥ，Ｒ，Ｈ，Ｉ，Ｂ，Ａの順序で単方向方式により実行される。
【００３３】
図６に示されているように、グラフィックインタフェースを通してユーザにより情報源が操作され、例えば、Ａ，Ｂ，Ｃ，Ｄ，Ｅが中に含まれるＦ，Ｇ，Ｉ，Ｈ，Ｒ，Ｍにより閉鎖線が形成される時には、可視化デバイスがＡ，Ｂ，Ｃ，Ｄ，Ｅの情報源のうちいずれか一つを他の情報源と共有するため、Ａ，Ｂ，Ｃ，Ｄ，Ｅのうちいずれか二つの情報源の間での情報共有または情報交換が実行されるか、可視化デバイスがF，Ｇ，Ｉ，Ｈ，Ｒ，Ｍ，Ａ，Ｂ，Ｃ，Ｄ，Ｅの情報源のうちいずれか一つを他の情報源と共有するため、Ｆ，Ｇ，Ｉ，Ｈ，Ｒ，Ｍ，Ａ，Ｂ，Ｃ，Ｄ，Ｅのいずれか二つの情報源の間で情報共有または情報交換が実行されうる。
【００３４】
図７に示されているように、情報源はグラフィックインタフェースを通してユーザにより操作され、例えば、Ａ，Ｂ，Ｃ，Ｄ，Ｅ，Ｇがエリア７０に設定され、可視化デバイスは、エリア７０内のＡ，Ｂ，Ｃ，Ｄ，Ｅ，Ｇの情報源のいずれか一つをエリア７０内の他の情報源と共有するため、Ａ，Ｂ，Ｃ，Ｄ，Ｅ，Ｇのいずれか二つの情報源の間での情報共有または情報交換が実行される。
【００３５】
本発明の実施形態は、図３〜７に示されている上述の情報共有方式に限定されない。
【００３６】
本発明の実施形態において、可視化デバイスは、ユーザにより発せられたグラフィックインタフェースの情報源の異なる操作指示に従って異なる手法の情報交換を実行し、こうしてグラフィックインタフェースを通して情報交換を実行する異なる手法を提供するとともに、情報交換の手法の多様性を向上させる。
【００３７】
図８は、本発明の一実施形態により提供される情報交換デバイスの構造図である。本発明の実施形態により提供される情報交換デバイスは、情報交換方法の実施形態により提供される処理フローを実行しうる。図８に示されているように、情報交換デバイス８０は、選択モジュール８１とグラフィックインタフェース表示モジュール８２と識別モジュール８３と送信モジュール８４とを含み、選択モジュール８１は、情報源集合から少なくとも二つの情報源を選択するように構成され、グラフィックインタフェース表示モジュール８２は、情報源を同一のグラフィックインタフェースに表示するように構成され、識別モジュール８３は、ユーザにより発せられたグラフィックインタフェースの操作指示を識別するように構成されて、操作指示が、情報源の二つの交換対象に指示して情報交換を実行するように構成され、二つの交換対象が開始情報源と目標情報源とを含み、送信モジュール８４は、開始情報源の情報を目標情報源へ送信する、および／または、目標情報源の情報を開始情報源へ送信するように構成されている。
【００３８】
本発明の実施形態は、少なくとも二つの情報源を同一のグラフィックインタフェースに表示して、ユーザにより発せられたグラフィックインタフェースの情報源についての操作指示に従って情報交換を実行し、つまりユーザは情報源の間で情報が交換されうるように可視化グラフィックインタフェースを通して情報源を制御する。反復的な情報源のチェックまたはクリックを必要とする関連の先行技術と比較して、本発明は容易に操作されて反復的操作の減少を可能にすることにより、情報源の誤選択または看過を回避する。
【００３９】
上述の実施形態に基づくと、選択モジュール８１は、具体的には、情報源集合において当該の情報源に対応する端末の位置情報に従っていずれか二つの情報源に対応する二つの端末の間の第１距離を計算して、第１予設定距離より短いか等しい第１距離を持つ情報源を選択するか、情報源集合の当該の情報源に対応する端末の位置情報に従って、情報源集合のいずれかの情報源に対応する端末とユーザの端末との間の第２距離を計算して、第２予設定距離より短いか等しい第２距離を持つ情報源を選択するか、情報源集合の当該の情報源の確定時間の情報に従って予設定時間範囲内で確定される少なくとも二つの情報源を選択するか、情報源集合においてユーザの端末との当該の情報源の通信頻度に従って予設定通信頻度より高いか等しいユーザの端末との当該の通信頻度を持つ少なくとも二つの情報源を選択するか、情報源集合において同一のグループに属する少なくとも二つの情報源を選択するように構成されている。
【００４０】
少なくとも二つの情報源は、ユーザによりランダムに選択される情報源である。
【００４１】
グラフィックインタフェース表示モジュール８２は、具体的には、情報源の識別情報を同一のグラフィックインタフェースに表示するように構成されている。
【００４２】
開始情報源はユーザの操作の始点であって、目標情報源がユーザの操作の終点であるか、開始情報源がユーザにより操作される多数の情報源のいずれか一つであって、目標情報源がユーザにより操作される多数の情報源のうち開始情報源以外の情報源であるか、開始情報源がユーザにより操作される多数の情報源により形成される閉鎖接続線の中のいずれかの情報源であって、目標情報源が閉鎖接続線の中の開始情報源以外の情報源であるか、開始情報源がユーザの操作により設定されるグラフィックインタフェースのサブエリアでの情報源のいずれか一つであって、目標情報源が、グラフィックインタフェースのサブエリアでの開始情報源以外の情報源である。
【００４３】
本発明の実施形態により提供される可視化デバイスは、具体的には、図１により提供される方法実施形態を実行するように構成されており、その具体的な機能はここでは再掲されない。
【００４４】
本発明の実施形態において、可視化デバイスは、予設定ルールに従って情報源集合から情報源を選択し、これは情報源を選択するための簡便性を向上させ、可視化デバイスはさらに、ユーザにより発せられたグラフィックインタフェースの情報源の異なる操作指示に従って情報交換のための異なる手法を実行し、これはグラフィックインタフェースを通して情報交換を実行する異なる手法を提供するとともに、情報交換の手法の多様性を向上させる。
【００４５】
結論として、本発明の実施形態は、少なくとも二つの情報源を同一のグラフィックインタフェースに表示して、ユーザにより発せられたグラフィックインタフェースの情報源の操作指示に従って情報交換を実行し、つまりユーザは、情報源の間で情報が共有されうるように可視化グラフィックインタフェースにより情報源を制御する。反復的な情報源のチェックまたはクリックを必要とする関連の先行技術と比較して、本発明は、容易に操作されて反復的操作の減少を可能にすることにより情報源の誤選択または看過を回避し、可視化デバイスは、予設定ルールに従って情報源集合から情報源を選択し、これは情報源を選択するための簡便性を向上させ、可視化デバイスはさらに、ユーザにより発せられたグラフィックインタフェースの情報源の異なる操作指示に従って異なる手法の情報交換を実行し、これはグラフィックインタフェースを通して情報交換を実行する異なる手段を提供して、情報交換の手法の多様性を向上させる。
【００４６】
本発明により提供される幾つかの実施形態において、開示の装置と方法が他の手法で実行されてもよいことは言うまでもない。例えば、上述したデバイスの実施形態は単に例示的であり、例えばユニットの分割は論理機能の分割に過ぎず、実際に実行される時には付加的な手法が設けられてもよく、例えば、多数のユニットまたは部品が組み合わされるか別のシステムに統合されてもよく、または幾つかの特徴が無視されるか実施されなくてもよい。また、図示または記載された結合や直接的な結合や通信接続は、電気的、機械的、またはその他である何らかのインタフェースやデバイスやユニットを通した間接的な結合や通信接続であってもよい。
【００４７】
独立した部品として記載されたユニットは物理的に独立していてもいなくてもよく、ユニットとして示された部品は物理的ユニットであってもなくてもよい、つまり、一つの箇所に設置されるか、複数のネットワーク要素のなかで分散されてもよい。要素の一部またはすべては、本実施形態の目的を達成するという現実的な必要性に従って選択されうる。
【００４８】
加えて、本発明の様々な実施形態により提供される機能ユニットの各々は、一つの処理ユニットに統合されるか、物理的に独立して存在し、そのほか、二つ以上のユニットが一つのユニットに統合されてもよい。そして上記の統合ユニットは、ハードウェアの形かハードウェアおよびソフトウェアの機能ユニットの形で実行されてもよい。
【００４９】
ソフトウェア機能ユニットの形で実行される上記の統合ユニットは、コンピュータ可読媒体に記憶されうる。上記のソフトウェア機能ユニットは、（ＰＣかサーバかネットワークデバイスである）コンピュータデバイスまたはプロセッサに、本発明の様々な実施形態により提供される方法の幾つかのステップを実施させるための幾つかの指示を含めて、記憶媒体に記憶される。そして、上述した記憶媒体は、ＵＳＢディスク、モバイルハードディスク、リードオンリメモリ（ＲＯＭ）、ランダムアクセスメモリ（ＲＡＭ）、磁気ディスク、光学ディスク、その他など様々な媒体を含む。
【００５０】
機能モジュールの分割は説明の簡便性および簡易性のために例示されているに過ぎないことは当業者には明白だろう。実用的な用途では、上記の機能は必要に応じて異なる機能モジュールにより分散および実行される、つまり装置の内部構造は、上述の機能のすべてまたは一部を達成するため異なる機能モジュールに分割されるのである。具体的な操作については、上記の方法実施形態での対応のプロセスが参照されうるので、上述の装置のプロセスはここに再掲されない。
【００５１】
最後に、上記の実施形態は本発明の技術的解決法を例示するのに使用されているに過ぎず、発明を限定する意図はないことに注意すべきである。上記実施形態を参照して本発明が詳細に説明されたが、上記実施形態に記載された技術的解決法を修正するか、その技術的特徴の幾つかまたはすべてを同等に置き換えることがやはり可能であって、これらの修正または置換は対応の技術的解決法の本質を本発明の実施形態の範囲から逸脱させるわけではないことが当業者には理解されるだろう。
【符号の説明】
【００５２】
７０  エリア
８０  情報交換デバイス
８１  選択モジュール
８２  グラフィックインタフェース表示モジュール
８３  識別モジュール
８４  送信モジュール
【図１】
2018524687.tif 000003
【図２】
2018524687.tif 000004
【図３】
2018524687.tif 000005
【図４】
2018524687.tif 000006
【図５】
2018524687.tif 000007
【図６】
2018524687.tif 000008
【図７】
2018524687.tif 000009
【図８】
2018524687.tif 000010
【国際調査報告】
2018524687.tif 000011
2018524687.tif 000012
2018524687.tif 000013
2018524687.tif 000014
2018524687.tif 000015
2018524687.tif 000016